(57)【特許請求の範囲】
【請求項１】
同期信号を有するディジタル信号のノイズ成分を除去するノイズ除去手段と、所定の時間間隔で前記ノイズ除去手段からの信号の最小値を検出する最小値検出手段と、前記最小値検出手段からの信号に基準の閾値となる所定の値を加算する加算手段と、閾値を保持するレジスタ手段と、前記加算手段からの信号と前記レジスタ手段からの信号との差分値がある範囲に入っているか否かを検出し、その検出結果に基づいて前記レジスタ手段に入力する信号のセレクトを制御する差分比較手段と、前記加算手段からの信号と前記レジスタ手段からの信号との大小関係を比較し、前記加算手段からの信号が前記レジスタ手段からの信号よりも大きい場合は前記レジスタ手段からの信号に前記基準の閾値となる所定の値の２０分の１の値を加算した値、小さい場合は前記レジスタ手段からの信号に前記基準の閾値となる所定の値の２０分の１の値を減算した値、等しい場合は前記レジスタ手段からの信号の値をそれぞれ出力する増減算出手段と、前記差分比較手段からの信号に応じ、前記差分比較手段において前記加算手段からの信号と前記レジスタ手段からの信号との差分値がある範囲に入っている場合は前記加算手段からの信号を、また、前記加算手段からの信号と前記レジスタ手段からの信号との差分値がある範囲に入っていない場合は前記増減算出手段からの信号をそれぞれ前記レジスタ手段に出力するセレクタ手段と、前記レジスタ手段からの信号と前記ノイズ除去手段からの信号とを比較する閾値比較手段とを備えたことを特徴とするディジタル同期分離装置。
【発明の詳細な説明】
【０００１】
【発明の属する技術分野】
本発明は、ビデオテープレコーダによる再生信号など同期信号を有する信号から同期信号を検出するディジタル同期分離装置に関するものである。
【０００２】
【従来の技術】
一般に、記録媒体として磁気テープを用い、同期信号を有するアナログ信号を記録再生するビデオテープレコーダ（以下、ＶＴＲと略記する）では、ダビングを繰り返す事によって信号レベルの変動（以下、サグと略記する）が発生する。
【０００３】
このサグにより、ディジタル同期分離装置が誤動作し画質劣化を引き起こす要因となる。
【０００４】
以下、従来のディジタル同期分離装置の一例について、図面を参照しながら説明する。図２は、従来のディジタル同期分離回路装置の構成を示すブロック図である。図２において、入力端子３０からＶＴＲ等の再生信号が入力される。本従来例では、ＶＴＲの再生信号がＮＴＳＣ信号である場合を想定する。入力端子３０から入力されたＮＴＳＣ信号は、ノイズ除去フィルタ３１に入力される。ノイズ除去フィルタ３１は、１００ｋＨｚ以下の周波数成分が通過できる低域通過フィルタになっており、ノイズ成分を除去する。ノイズ除去フィルタ３１の出力は、閾値比較器３２に入力され、閾値定数発生器３３から発生される閾値と比較される。閾値比較器３２からの比較結果が、ＮＴＳＣの複合同期信号として出力端子３４から出力される。以上のような従来技術として、例えば、特開平２−２６０７６７号公報が知られている。
【０００５】
【発明が解決しようとする課題】
しかしながら、上記のような従来のディジタル同期分離装置では、サグが発生している信号が入力されると、同期信号の検出が不完全になってしまう、という問題点を有していた。その例を図３に示す。図３の信号４０のようにサグが発生している信号が、図２の入力端子３０から入力された場合を想定する。図２の閾値定数発生器３３から発生している閾値が図３の破線で示す閾値４１であるとすると、図２の出力端子３４からは、図３に示す信号４２が出力される。この信号４２では、同期信号が検出されていない部分が存在する。つまり、同期信号の検出が不完全である。
【０００６】
本発明は、上記従来の問題点を解決するもので、サグが発生している信号が入力された場合においても、同期信号が検出できるディジタル同期分離装置を提供する。
【０００７】
【課題を解決するための手段】
上記課題を解決するために、本発明のディジタル同期分離装置は、同期信号を有するディジタル信号のノイズ成分を除去するノイズ除去手段と、所定の時間間隔で前記ノイズ除去手段からの信号の最小値を検出する最小値検出手段と、最小値検出手段からの信号に基準の閾値となる所定の値を加算する加算手段と、閾値を保持するレジスタ手段と、加算手段からの信号とレジスタ手段からの信号との差分値がある範囲に入っているか否かを検出し、その検出結果に基づいてレジスタ手段に入力する信号のセレクトを制御する差分比較手段と、加算手段からの信号とレジスタ手段からの信号との大小関係を比較し、加算手段からの信号がレジスタ手段からの信号よりも大きい場合はレジスタ手段からの信号に基準の閾値となる所定の値の２０分の１の値を加算した値、小さい場合レジスタ手段からの信号に基準の閾値となる所定の値の２０分の１の値を減算した値、等しい場合はレジスタ手段からの信号の値をそれぞれ出力する増減算出手段と、差分比較手段からの信号に応じ、差分比較手段において加算手段からの信号とレジスタ手段からの信号との差分値がある範囲に入っている場合は加算手段からの信号を、また、加算手段からの信号とレジスタ手段からの信号との差分値がある範囲に入っていない場合は増減算出手段からの信号をそれぞれレジスタ手段に出力するセレクタ手段と、レジスタ手段からの信号とノイズ除去手段からの信号とを比較する閾値比較手段とを備えたものである。
【０００８】
そして、検出された最小値に応じて閾値レベルを変化させる事によって、閾値レベルがサグのレベルに追従するように動作し、サグが発生している信号からでも同期信号が検出できる。
【０００９】
【発明の実施の形態】
以下、本発明の実施の形態によるディジタル同期信号分離装置について、図面を参照しながら説明する。
【００１０】
図１は本実施の形態におけるディジタル同期信号分離装置の構成を示すブロック図である。また、図４及び図５は、図１のディジタル同期分離装置の動作を示す波形図である。図１において、入力端子１０から同期信号を有するディジタル信号が入力される。ここでは、同期信号を有するディジタル信号として、ＮＴＳＣ信号を用いる。また、通常入力されるＮＴＳＣ信号の同期信号の高さは、８ビットで表すと下が８、上が６４とする。ノイズ除去フィルタ１１は、入力端子１０から入力された信号の１００ｋＨｚ以上の成分を除去するノイズ除去手段である。最小値検出器１２は、ノイズ除去フィルタ１１からの信号の最小値を６０μ秒間隔で検出する最小値検出手段である。オフセット加算器１３は、最小値検出器１２からの信号に定数２０を加算する加算手段である。このオフセット加算器１３から出力される値をＤ１とする。レジスタ２０は、閾値を保持するレジスタ手段である。このレジスタ２０から出力される値をＤ２とする。差分比較器１７は、定数Ａ＝−１５、Ｂ＝１５として、差分値（Ｄ１−Ｄ２）を算出し、この差分値がＡ＜（Ｄ１−Ｄ２）＜Ｂの範囲内に入っているか否かを検出する差分比較手段である。増減算出器１８は、Ｄ１＜Ｄ２の場合は（Ｄ２−１）を出力し、Ｄ１＞Ｄ２の場合は（Ｄ２＋１）を出力し、Ｄ１＝Ｄ２の場合はＤ２を出力する増減算出手段である。この増減算出器１８から出力される値をＤ３とする。セレクタ１９は、差分比較器１７からの信号に応じて、Ｄ１かＤ３の値をレジスタ２０に出力するセレクト手段である。このセレクタ１９は、差分比較器１７の結果がＡ＜（Ｄ１−Ｄ２）＜Ｂの範囲に入っている場合にはＤ１（端子Ａ）を出力し、それ以外の場合にはＤ３（端子Ｂ）が出力される。閾値比較器１５は、レジスタ２０からの値とノイズ除去フィルタ１１からの値を比較する閾値比較手段である。出力端子１６は、比較器１５からの比較結果を同期信号として出力する。
【００１１】
以上のように構成されたディジタル同期分離装置について、以下、図４及び図５を用いてその動作を説明する。
【００１２】
まず、図４は、入力される映像信号にサグがある場合を示すものである。ノイズ除去フィルタ１１の出力が信号５０で、レジスタ２０の出力が破線で示す閾値５１である。この場合、最小値検出器１２で６０μ秒間隔で検出された最小値がＡ＜（Ｄ１−Ｄ２）＜Ｂを満たしていると仮定している。図４から分かるように、閾値５１のレベルは、サグのレベルに追従している。この動作によって、出力端子１６から出力される同期信号は信号５２となり、同期信号が正しく検出されている事がわかる。
【００１３】
また、図５は、入力される映像信号の同期信号がなんらかの原因で抜けている場合を示すものである。ノイズ除去フィルタ１１の出力が信号６０で、レジスタ２０の出力が閾値６１である。この場合、最小値検出器１２で６０μ秒間隔で検出された最小値は、同期信号が抜けている範囲でＡ＜（Ｄ１−Ｄ２）＜Ｂを満たしていないので、レジスタ２０から出力される閾値は１ずつしか変化していない。出力端子１６から出力される同期信号は信号６２となり、同期信号が抜けている範囲では、同期信号が抜けた信号となる。この動作によって、同期信号が抜けている範囲でも、誤って映像部分の信号を同期信号として分離する事がない。
【００１４】
以上のように構成する事により、同期信号を有するディジタル信号のノイズ成分を除去するノイズ除去手段と、ある時間間隔でノイズ除去手段からの信号の最小値を検出する最小値検出手段と、最小値検出手段からの信号にある値を加算する加算手段と、閾値を保持するレジスタ手段と、加算手段からの信号とレジスタ手段からの信号の差分がある範囲に入っているかを検出する差分比較手段と、加算手段からの信号とレジスタ手段からの信号の大小関係を比較した結果に応じてレジスタ手段からの信号にある値を加算または減算する増減算出手段と、差分比較手段からの信号に応じて加算手段からの信号と増減算出手段からの信号のどちらかをレジスタ手段に出力するセレクト手段と、レジスタ手段からの信号とノイズ除去手段からの信号を比較する閾値比較手段を設ける事により、サグの発生している信号からでも、同期信号を検出する事ができる。
【００１５】
なお、本実施の形態に用いた周波数特性及び定数は参考値であり、サグに追従させるレベルに応じて適切な値を設定するものである。また、本発明の方式は、ＤＣレベルが確定していないディジタル信号から同期信号を分離する場合にも応用できる。その場合、最小値検出器１２の検出周期を同期信号の間隔より長く設定し、図１の閾値算出器１４の一部を省略しても簡易的に実現できる。
【００１６】
【発明の効果】
以上のように本発明は、同期信号を有するディジタル信号のノイズ成分を除去するノイズ除去手段と、ある時間間隔でノイズ除去手段からの信号の最小値を検出する最小値検出手段と、最小値検出手段からの信号にある値を加算する加算手段と、閾値を保持するレジスタ手段と、加算手段からの信号とレジスタ手段からの信号の差分がある範囲に入っているかを検出する差分比較手段と、加算手段からの信号とレジスタ手段からの信号の大小関係を比較した結果に応じてレジスタ手段からの信号にある値を加算または減算する増減算出手段と、差分比較手段からの信号に応じて加算手段からの信号と増減算出手段からの信号のどちらかをレジスタ手段に出力するセレクト手段と、レジスタ手段からの信号とノイズ除去手段からの信号を比較し同期信号を得る閾値比較手段とを設ける事により、サグの発生している信号からでも、正確に同期信号を検出でき、さらに、同期信号の抜けがある信号からでも、誤作動を生じることなく正確に同期信号を検出できる、という効果を奏する。
【図面の簡単な説明】
【図１】本発明の実施の形態におけるディジタル同期信号分離装置の構成を示すブロック図
【図２】従来のディジタル同期信号分離装置の構成を示すブロック図
【図３】従来のディジタル同期信号分離装置の動作を示す波形図
【図４】本発明のディジタル同期信号分離装置の動作を示す波形図
【図５】本発明のディジタル同期信号分離装置の動作を示す波形図
【符号の説明】
１０  入力端子
１１  ノイズ除去フィルタ
１２  最小値検出器
１３  オフセット加算器
１４  閾値算出器
１５  閾値比較器
１６  出力端子
１７  差分比較器
１８  増減算出器
１９  セレクタ
２０  レジスタ
【図１】
0003543556.tif 000002
【図２】
0003543556.tif 000003
【図３】
0003543556.tif 000004
【図４】
0003543556.tif 000005
【図５】
0003543556.tif 000006